(57)【要約】【課題】別の音声再生装置を必要とすることなく、撮影中に既記録された音声の再生が可能となるデジタルビデオカメラを提供すること。【解決手段】撮像部８からの映像信号と集音部１からの音声信号をハードディスクコントローラ１５を介してハードディスク１６に記録するとともに、ハードディスク１６に記録された映像信号と音声信号をハードディスクコントローラ１５を介して映像表示部１２と音声出力部４１，４２で再生するデジタルビデオカメラであって、ハードディスク１６に既記録された音声信号をハードディスクコントローラ１５を介して再生して記憶する記憶手段１９を設け、ハードディスクコントローラ１５とハードディスク１６を時間分割使用することによって、記憶手段１９に記憶された音声信号を、撮影部８による撮影中に音声出力部４２で再生すること。【選択図】        図１
2004349835.tif 000002
【特許請求の範囲】
【請求項１】
撮像部からの映像信号と集音部からの音声信号をハードディスクコントローラを介してハードディスクに記録するとともに、前記ハードディスクに記録された映像信号と音声信号を前記ハードディスクコントローラを介して映像表示部と音声出力部で再生するデジタルビデオカメラであって、
前記ハードディスクに既記録された音声信号を前記ハードディスクコントローラを介して再生して記憶する記憶手段を設け、
前記ハードディスクコントローラと前記ハードディスクを時間分割使用することによって、前記記憶手段に記憶された音声信号を、前記撮影部による撮影中に前記音声出力部で再生する
ことを特徴とするデジタルビデオカメラ。
【請求項２】
請求項１において、
前記音声出力部はスピーカとヘッドホンを有し、
前記スピーカ又は前記ヘッドホンのいずれかで音声出力するように切り換える音声切換部を設け、
前記記憶手段に記憶された音声信号を前記ヘッドホンで音声出力するように前記音声切換部を切り換える
ことを特徴とするデジタルビデオカメラ。
【発明の詳細な説明】
【０００１】
【発明の属する技術分野】
本発明は、記録媒体としてハードディスクを使用するデジタルビデオカメラに係り、特に、映像撮影中の音声再生の技術に関する。
【０００２】
【従来の技術】
デジタルビデオカメラは高画質と編集のしやすさから普及している。現在一般的に発売されているデジタルビデオカメラは、記録媒体に磁気テープを使用するＤＶ方式（民生デジタルＶＣＲ  ＳＤ仕様）を採用している。ＤＶ方式とはデジタルビデオ機器向けの規格である。
【０００３】
そして、このＤＶ方式は、１９９６年に制定されたビデオカセットレコーダ向けの規格である、「Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲｓ（ＨＤ  Ｄｉｇｉｔａｌ  ＶＣＲ  Ｃｏｎｆｅｒｅｎｃｅ，１９９６）」に準拠した規格であり、ＤＣＴ（離散コサイン変換）によるフレーム内の空間的な冗長度の削減と、可変長符号化による符号量削減とを組み合わせて画像圧縮を図る方式である。デジタルビデオカメラにおいて、音声信号と画像信号はトラック上の別エリアに書き込まれるため、撮影後に音声信号のみ上書きをすることが可能になっている。
【０００４】
図３は、従来のデジタルビデオカメラの基本的構成を示すブロック図である。図３において、映像部は、ＣＣＤ５８、ＡＤ変換部５９、カメラ映像信号処理部６０、画像コーデック６１、から構成されており、音声部は、マイク５１、スピーカ７１、ヘッドホン７２、ＡＤ変換部５２、ＤＡ変換部５６、音声コーデック５３、から構成されている。また、信号の記録再生のために、メカコントローラ６５、ＤＶ方式テープ６６が構成要素となっている。さらに、デジタルビデオカメラは、全体の回路を制御するためのシステムコントロールマイコン６７、ＬＣＤ６２の映像表示部を構成要素としている。
【０００５】
図３に示すような一般的なＤＶ方式ビデオカメラ撮影における信号の流れを以下説明する。映像信号はＣＣＤ５８に入力された信号をＡＤ変換部５９してカメラ信号処理部６０で信号処理された後、記録フォーマットに従った符号化がエンコード部で行われ記録媒体６６に記録される。また、音声信号は、マイクロフォン５１から入力された信号をＡＤ変換部５２して、記録フォーマットに従った符号化がエンコード部で行われ記録媒体６６に記録される。
【０００６】
再生は、記録媒体、即ちテープ媒体に記録された信号を映像と音声のそれぞれのデコード部で復号化し、映像信号はＬＣＤ６２等の表示媒体に出力し、音声信号はスピーカ７１等の装置で出力される。
【０００７】
そこで、以上説明したようなＤＶ方式のデジタルビデオカメラを使って撮影中に音声信号を聞くには、テープ媒体を記録媒体とする構成では不可能であり、別の音声再生装置が必要になる。
【０００８】
また、カメラモードと音楽プレーヤモードを切り替え使用することができる電子カメラの従来技術として、両面使用可能なディスク状記録媒体を用いることが提案されている（例えば、特許文献１を参照）。この特許文献１によれば、ディスク媒体の片面にアクセス手段をアクセスすることによって、記録媒体の記録内容に関する情報が検出され、その検出結果に応じてカメラモード又はプレーヤモードに自動的に設定されることが開示されている。
【０００９】
【特許文献１】
特開２００２−２４７４３４
【００１０】
【発明が解決しようとする課題】
上述したように従来のデジタルビデオカメラでは、テープメディアを記録媒体に使用していたため、記録媒体に書き込まれている音声を再生しながら、撮影を行うことはできなかった。また、撮影中に音声再生をするにはデジタルビデオカメラとは別に音声再生装置が必要になっていた。
【００１１】
また、特許文献１では、画像と音声の記録媒体としてテープではなくてディスクを用いることが開示されているが、両面使用可能なディスク状記録媒体のいずれの面を装着したかによってカメラモード又はプレーヤモードの切り替えをするものであり、また、発明対象がカメラであるので、撮影中に音声を再生しようとする考え方は開示されていない。
【００１２】
本発明は、別の音声再生装置を必要とすることなく、撮影中に音声の再生が可能となるデジタルビデオカメラを提供することにある。
【００１３】
【課題を解決するための手段】
前記課題を解決するために、本発明は次のような構成を採用する。
撮像部からの映像信号と集音部からの音声信号をハードディスクコントローラを介してハードディスクに記録するとともに、前記ハードディスクに記録された映像信号と音声信号を前記ハードディスクコントローラを介して映像表示部と音声出力部で再生するデジタルビデオカメラであって、
前記ハードディスクに既記録された音声信号を前記ハードディスクコントローラを介して再生して記憶する記憶手段を設け、
前記ハードディスクコントローラと前記ハードディスクを時間分割使用することによって、前記記憶手段に記憶された音声信号を、前記撮影部による撮影中に前記音声出力部で再生する構成とする。
【００１４】
また、前記デジタルビデオカメラにおいて、前記音声出力部はスピーカとヘッドホンを有し、
前記スピーカ又は前記ヘッドホンのいずれかで音声出力するように切り換える音声切換部を設け、
前記記憶手段に記憶された音声信号を前記ヘッドホンで音声出力するように前記音声切換部を切り換える構成とする。
【００１５】
このような構成を採用することにより、本発明では、既記録された音声を再生しながら、同時実行でカメラ撮影を可能とすることができる。
【００１６】
【発明の実施の形態】
本発明の実施形態に係るデジタルビデオカメラについて、図１と図２を参照しながら以下詳細に説明する。図１は本発明の実施形態に係るデジタルビデオカメラの構成を示すブロック図である。図２は図１に示す音声再生処理部の詳細構成を示すである。
【００１７】
図１及び図２において、１はマイク、２，９はＡＤ変換部、３は音声コーデック（ｃｏｄｅｃ）、５は音声切換部、６，１３はＤＡ変換部、８はＣＣＤ、１０はカメラ信号処理部、１１は画像コーデック、１２はＬＣＤ、１５はハードディスクコントローラ（図ではＨＤＤコントローラと記述）、１６はハードディスク（図ではＨＤＤと記述）、１７はシステムコントロールマイコン、１８は音声再生処理部、２０は音声デコーダ、２１はメモリコントローラ、２２はＤＡ変換部、４１はスピーカ、４２はヘッドホン、をそれぞれ表す。
【００１８】
図１を参照して、本実施形態に係るデジタルビデオカメラにおける撮影時の動作について説明する。音声信号は、マイク１から入力された信号が、ＡＤ変換部２を経て音声コーデック３にて符号化される。符号化された信号は、ハードディスクコントローラ１５に送られてハードディスク１６に記録される。映像信号は、ＣＣＤ８から入力された信号が、ＡＤ変換部９とカメラ信号処理部１０を経て画像コーデック１１にて符号化される。符号化された信号は、ハードディスクコントローラ１５に送られてハードディスク１６に記録される。
【００１９】
再生時の動作について説明すると、音声信号は、ハードディスク１６から読み出されたデータがハードディスクコントローラ１５を経て音声コーデック３で復号化し、ＤＡ変換部６を経てスピーカ４１に出力される。また、音声はヘッドホン４２からも出力され得る。映像信号は、ハードディスク１６から読み出されたデータがハードディスクコントローラ１５を経て画像コーデック１１で復号化し、ＤＡ変換部１３を経てＬＣＤパネル１２に出力される。
【００２０】
次に、本発明の特徴を表す音声信号再生と撮影の同時実行について説明する。再生される音声のデータは、あらかじめハードディスク１６上に記録されているものである。まず最初に、再生される音声データは、ハードディスク１６及びハードディスクコントローラ１５から音声再生処理部１８を経てバッファメモリ１９に格納される。
【００２１】
そして、音声再生処理部１８で復号化されたデータが音声切換部５に入力され、その音声をヘッドフォン４２に出力する。スピーカ４１にも出力できるが一般的には、撮影時において、マイク１がスピーカ４１からの音声を拾ってしまうことが無いように、音声再生出力はヘッドフォン４２から出力する。このような状態で撮影を開始する。図１に示すように、撮影に必要な構成ブロックは、音声再生に影響されることがないため、通常の撮影が継続できることになる。
【００２２】
図１に示す音声再生処理部１８の詳細構成は図２に示すような回路構成となっている。即ち、音声再生処理部１８は、音声デコーダ２０、メモリコントローラ２１、ＤＡ変換部２２からなるものである。ただし、ハードディスク１６に記録されている音声データは、音声デコーダ２０に対応した形式のデータ方式である必要がある。
【００２３】
ここにおいて、ハードディスクコントローラ１５とハードディスク１６は撮影と音声再生の双方の動作に必要なものであるが、両動作を同時実行する上で問題とならない理由、根拠を以下に説明する。
【００２４】
まず、映像方式の転送レートとハードディスクの転送レートを比較してみる。一般的に知られているＭＰＥＧ−２（Ｍｏｖｉｎｇ  Ｐｉｃｔｕｒｅ  Ｅｘｐｅｒｔｓ  Ｇｒｏｕｐ  ｐｈａｓｅ２）Ｖｉｄｅｏ方式の場合、データ転送レートは１２Ｍｂｐｓである。テープメディアを使用するＤＶ方式の場合は、３６Ｍｂｐｓである。最近多く使われているハードディスクのデータ転送レートは、４０ＭＢ／ｓ以上である。すなわち、上述した転送レートの遅速によって、ＤＶ方式のデータを転送する場合でも、常にハードディスクにアクセスしておく必要はない。
【００２５】
また、音声データは映像データに比べてデータ量が小さい。非圧縮の場合で１／２０程度であるため、撮影でハードディスクにデータを記録していないときに、音声のデータを読み出すことは容易である。よって、ハードディスクコントローラ１５とハードディスク１６を、時間分割して使用することにより、同時使用が可能になる。
【００２６】
以上の説明では、記録媒体としてハードディスクを用いたデジタルビデオカメラを記述したが、勿論、ランダムアクセス可能で高速データ転送が可能な全ての記録媒体に対しても、本発明は適用可能なものである。
【００２７】
【発明の効果】
本発明によれば、音声を再生しながら、同時実行でカメラ撮影が可能なデジタルビデオカメラを提供することができる。
【図面の簡単な説明】
【図１】本発明の実施形態に係るデジタルビデオカメラの構成を示すブロック図である。
【図２】図１に示す音声再生処理部の詳細構成を示すである。
【図３】従来のデジタルビデオカメラの基本的な構成を示すブロック図である。
【符号の説明】
１  マイク
２，９，５２，５９  ＡＤ変換部
３，５３  音声コーデック
５  音声切換部
６，１３，５６，６３  ＤＡ変換部
８，５８  ＣＣＤ
１０，６０  カメラ信号処理部
１１，６１  画像コーデク
１２，６２  ＬＣＤ
１５，６５  ハードディスクコントローラ
１６  ハードディスク
１７，６７  システムコントロールマイコン
１８  音声再生処理部
２０  音声デコーダ
２１  メモリコントローラ
２２  ＤＡ変換部
４１，７１  スピーカ
４２，７２  ヘッドホン
６５  メカコントローラ
６６  ＤＶ方式テープ
【図１】
2004349835.tif 000003
【図２】
2004349835.tif 000004
【図３】
2004349835.tif 000005